(57)【要約】      （修正有）【課題】コンパクトに折り畳んで収納または持ち運び可能な旅行かばんを提供する。【解決手段】合成繊維布材などの柔軟素材により形成したかばん本体２の長手方向の中央に把手部設け、上端にハンドル部を有した伸縮可能な伸縮ロッド１１を背面側に取付け、かばん本体２を牽引するための車輪を背面側の底面隅部または底面四隅にキャスターを装着した旅行かばん１において、かばん本体２の下部に位置する底面部２ａの内底面３に、一対の係止爪片２３を支持軸２４で回動可能に軸支して取付けた固定底板２２と、該固定底板と並行であってかばん本体２の内底面３に取付けた可動底板２５とからなる折畳機構２１を取付けてある。【選択図】図３
0003169980.tif 000002
【実用新案登録請求の範囲】
【請求項１】
合成繊維布材や合成皮革などの柔軟素材により形成したかばん本体（２）の長手方向の上面中央に把手部（５）設け、上端にハンドル部（１３）を有した伸縮可能な伸縮ロッド（１１）をかばん本体（２）の背面側に取付け、かばん本体（２）を牽引するための車輪（６）を背面側の底面隅部または底面四隅にキャスター（１６）を装着する旅行かばん（１）において、前記かばん本体２の底面部２ａを折り曲げる折畳機構２１、３１、４１を前記底面部（２ａ）の内底面（３）に取付けてなることを特徴とする旅行かばん。
【請求項２】
前記折畳み機構（２１）は、かばん本体（２）の下部に位置する底面部（２ａ）の内底面（３）に取付けた固定フレーム（１０）の水平部（１０ａ）に固着した固定底板（２２）と、該固定底板と並行で一定間隔を設けて前記内底面（３）に鋲等の固定具（２６）または固定具と接着剤とで固着した可動底板（２５）とからなり、前記固定底板（２２）の上面に一端を支持軸（２４）で枢動可能に軸支して取付けた少なくとも１以上の係止爪片（２３）で、前記可動底板（２５）の上面を押圧固定して底板（Ｘ）を形成し、前記係止爪片（２３）を可動底板（２５）の上面から離脱させた後、かばん本体（２）の底面部（２ａ）を上方に折り曲げると前記可動底板（２５）も一体に折り曲げ可能に形成してなることを特徴とする請求項１記載の旅行かばん。
【請求項３】
前記折畳機構（３１）は、かばん本体（２）の下部に位置する底面部（２ａ）の内底面（３）に取付けた固定フレーム（１０）の水平部（１０ａ）に固着した固定底板（３２）と、補強布片（３５）で上面と底面を覆った可動底板（３６）を前記固定底板（３２）と並行で一定間隔を設けて前記内底面（３）に鋲等の固定具（３７）または固定具と接着剤とで固着し、前記補強布片（３５）の他端を前記固定フレーム（１０）の底面と内底面（３）との間に接着または固着してなり、前記固定底板（３２）の上面に一端を支持軸（３４）で枢動可能に軸支した少なくとも１以上の係止爪片（３３）で、前記可動底板（３６）の上面を押圧固定して底板（Ｘ）を形成し、前記可動底板（３６）の上面から係止爪片（３３）を離脱させた後、かばん本体（２）の底面部（２ａ）を上方に折り曲げると前記可動底板（３６）も一体に折り曲げ可能に形成してなることを特徴とする請求項１記載の旅行かばん。
【請求項４】
前記折畳機構（４１）は、かばん本体（２）の下部に位置する底面部（２ａ）の内底面（３）に取付けた固定フレーム（１０）の水平部（１０ａ）に固着した固定底板（４２）と、補強布片（４５）で上面と底面を覆った可動底板（４６）をかばん本体（２）の内底面（３）に鋲などの固定具（４８）または固定具と接着剤とで固着し、前記補強布片（４５）の他端は、前記固定フレーム（１０）の底面と内底面（３）との間に接着または固着し、前記かばん本体（２）の内底面（３）に並行に取付けた固定底板（４２）と可動底板（４６）を少なくとも１以上の連結片（４７）で枢動可能に連結してなり、前記固定底板（４２）の上面に一端を支持軸（４４）で枢動可能に軸支した少なくとも１以上の係止爪片（４３）で、前記可動底板（４６）の上面を押圧固定して底板（Ｘ）を形成し、前記可動底板（４６）の上面から係止爪片（４３）を離脱させた後、かばん本体（２）の底面部（２ａ）を上方に折り曲げると前記可動底板（４６）も一体に折り曲げ可能に形成してなることを特徴とする請求項１記載の旅行かばん。
【考案の詳細な説明】
【技術分野】
【０００１】
本考案は、旅行かばん、特に大型の旅行かばんの折畳み構造に関する。
【背景技術】
【０００２】
従来、大型の旅行かばん、特にナイロンやポリエステルなどの合成繊維布材により形成した旅行かばんは、かばん本体と蓋体とをファスナーで開閉可能に形成し、旅行かばんの長手方向の一側面中央に旅行かばんを持ち上げるための提げ手と、移動時に旅行かばんを引張るための補助ハンドルの二種類が取付けられ、かばん本体の底面の片側または四隅に移動用の車輪またはキャスターが取り付けられている。前記かばんの片側（牽引方向）に車輪を取付けた場合、旅行かばんの水平を保つため、車輪と反対側の旅行かばん底面に一対の支持脚部を設けて形成してある。
【０００３】
また、大型の旅行かばんは、嵩張るため不使用時における旅行かばんの収納場所に困る場合が多い。そのため、キャリーバックのうち小型のものは、底面を折り曲げてコンパクトに折り畳んで収納して持ち運べるものが知られている（例えば、特許文献１、２）。
【先行技術文献】
【特許文献】
【０００４】
【特許文献１】実用第３０９４２４８号
【特許文献２】実用第３１２８００２号
【０００５】
前者のキャリーバックは、バック本体とキャスターを取付けたフレームを別体に形成し、フレームを構成する下側フレームに取付けた補助フレームを着脱可能に取付けて底面積を減少可能に形成してある。さらにバッグ本体の内底面全体に硬質な底部板を回動可能に取付けて形成してある。そのため、旅行かばんを折り畳む場合、バッグ本体の底面を下側フレームから剥がした後、補助フレームを下側フレームから分離させ、さらにバッグ本体の内底面に敷いた底部板を起こしてからバッグ本体を折り畳まなければならず、構造が複雑で折畳み作業が面倒である。また、取り外した部品を紛失するおそれがあるなどの多くの問題点を有している。
【０００６】
後者は、旅行かばんではなく日常の買い物に使用するショピングカートで、縦フレームの基部に直角方向に枢動可能に取付けた受けフレームと、この受けフレーム上に戴置するショッピングバックとからなり、不使用時にショピングカートの受けフレームを縦フレーム方向に枢動させた後、バックを折り畳んでショピングカートに取付けることによりコンパクトにするもので、ショピングカートとショッピングバックを別体にした構成で、ショピングカートの構造が複雑であるなどの多くの問題点を有している。
【考案の概要】
【考案が解決しようとする課題】
【０００７】
そこで本考案が解決しようとする課題は、旅行かばん、特に合成繊維布材または合成皮革などの柔軟素材により形成した大型の旅行かばんを収納する場合、そのままの形状で収納すると嵩張るため置き場所に困る場合がある。さらには、出先で空になった大型旅行かばんを持ち運ぶ場合、そのままの形状では嵩張るため運搬に不便である。そこで、大型旅行かばんを簡単な構造で折畳み可能にすることより、不使用時には小さくして収納したり、旅行かばんをコンパクトに纏めて持ち運びを便利にすることを目的とする。
【課題を解決するための手段】
【０００８】
本考案は、合成繊維布材や合成皮革などの柔軟素材により形成したかばん本体２の長手方向の上面中央に把手部５設け、上端にハンドル部１３を有した伸縮可能な伸縮ロッド１１をかばん本体２の背面側に取付け、かばん本体２を牽引するための車輪６を背面側の底面隅部または底面四隅にキャスター１６を装着する旅行かばん１において、前記かばん本体２の底面部２ａを折り曲げる折畳機構２１、３１、４１を底面部２ａの内底面３に取付けてなることを特徴とする。また、前記折畳み機構２１は、かばん本体２の下部に位置する底面部２ａの内底面３に取付けた固定フレーム１０の水平部１０ａに固着した固定底板２２と、該固定底板と並行で一定間隔を設けて前記内底面３に鋲等の固定具２６又は固定具と接着剤とで固着した可動底板２５とからなり、前記固定底板２２の上面に一端を支持軸２４で枢動可能に軸支して取付けた少なくとも１以上の係止爪片２３で、前記可動底板２５の上面を押圧固定して底板Ｘを形成し、前記係止爪片２３を可動底板２５の上面から離脱させた後、かばん本体２の底面部２ａを上方に折り曲げると前記可動底板２５も一体に折り曲げ可能に形成してなることを特徴とする。さらに、前記折畳機構３１は、かばん本体２の下部に位置する底面部２ａの内底面３に取付けた固定フレーム１０の水平部１０ａに固着した固定底板３２と、補強布片３５で上面と底面を覆った可動底板３６を前記固定底板３２と並行で一定間隔を設けて前記内底面３に鋲等の固定具３７または固定具と接着剤とで固着し、前記補強布片３５の他端を前記固定フレーム１０の底面と内底面３との間に接着または固着してなり、前記固定底板３２の上面に一端を支持軸３４で枢動可能に軸支した少なくとも１以上の係止爪片３３で、前記可動底板３６の上面を押圧固定して底板Ｘを形成し、前記可動底板３６の上面から係止爪片３３を離脱させた後、旅行かばん本体２の底面部２ａを上方に折り曲げると前記可動底板３６も一体に折り曲げ可能に形成してなることを特徴とする。さらにまた、前記折畳機構４１は、旅行かばん本体２の下部に位置する底面部２ａの内底面３に取付けた固定フレーム１０の水平部１０ａに固着した固定底板４２と、補強布片４５で上面と底面を覆った可動底板４６を旅行かばん本体２の内底面３に鋲などの固定具４８または固定具と接着剤とで固着し、前記補強布片４５の他端は、前記固定フレーム１０の底面と内底面３との間に接着または固着し、前記かばん本体２の内底面３に並行に取付けた固定底板４２と可動底板４６とを少なくとも１以上の連結片４７で枢動可能に連結してなり、前記固定底板４２の上面に一端を支持軸４４で枢動可能に軸支した少なくとも１以上の係止爪片４３で、前記可動底板４６の上面を押圧固定して底板Ｘを形成し、前記可動底板４６の上面から係止爪片４３を離脱させた後、旅行かばん本体２の底面部を可動底板４６と共に上方に折り曲げ可能に形成してなることを特徴とする。
【０００９】
したがって、旅行かばん本体２の下部に位置する底面部２ａの内底面３に収容した折畳み機構２１、３１、４１は、固定底板２２と可動底板２５を並行で互いに一定間隔を設けて取付けたことにより、前記底面部２ａの前側を上方に折り曲げるだけで可動底板２５が固定底板２２に当たることなくスムースに折れ曲がって旅行かばんの底面積を約半分にして旅行かばんの収納スペースを小さくすることができる。また、固定底板２２の上面に回動可能に取付けた係止爪片２３、３３、４３で、可動底板２５、３６、４６を押圧固定することにより旅行かばん本体２の底板Ｘを形成することができる。さらに、旅行かばんを収納する場合、可動底板２５、３６、４６を押圧固定している係止爪片２３、３３、４３を固定底板側に回動させるだけの簡単な操作で可動底板を固定底板からフリーにするだけで旅行かばんをコンパクトに纏めることにより持ち運びを便利にできる。さらにはまた、折畳機構は固定底板と可動底板の二枚で底板Ｘを形成することができるため、部品数が少なく旅行かばん全体の軽量化を図ることができる。
【図面の簡単な説明】
【００１０】
【図１】本考案にかかる旅行かばんの側面図である。
【図２】旅行かばんの底面を折り曲げた収納状態を示す側面図である。
【図３】第１折畳機構の固定底板に設けた係止爪片で可動底板を押圧固定した状態を示す要部拡大斜視図である（実施例１）。
【図４】かばん本体の底面部を折り曲げた状態を示す要部拡大断面図である（実施例１）。
【図５】第２折畳機構の可動底板に巻着した補強布片の一端を固定フレームの下面に取付けて形成した状態を示す要部拡大斜視図である（実施例２）。
【図６】固定底板の係止爪片を解除して底面部を折り曲げ可能にした状態を示す要部拡大断面図である（実施例２）。
【図７】かばん本体の底面部を折り曲げた状態を示す要部拡大断面図である（実施例２）。
【図８】第３折畳機構の固定底板と可動底板を連結片で連結した状態を示す要部拡大断面図である（実施例３）。
【図９】かばん本体の底面部を折り曲げた状態の要部拡大断面図である（実施例３）。
【図１０】旅行かばんの底面四隅にキャスターを取付けたかばん本体に折畳機構を取付けた状態の斜視図である。
【考案を実施するための形態】
【００１１】
本考案の実施の形態を図面に基づいて説明すると、図１は本考案にかかる旅行かばんの側面図、図２は旅行かばんの底面を折り曲げた収納状態を示す側面図、図３は第１折畳機構の固定底板に設けた係止爪片で可動底板を押圧固定した状態を示す要部拡大斜視図、図４はかばん本体の底面部を折り曲げた状態を示す要部拡大断面図である。前記旅行かばん１、特に旅行用の大型旅行かばん（好ましくは、容量が９３リットル以上で、高さが７３ｃｍ以上の合成繊維布材または合成皮革などの柔軟素材により形成した旅行かばん）は、上面を開口して荷物を収納するかばん本体２と、前記かばん本体２をファスナーで開閉可能に取付けてなる蓋体４とからなり、前記かばん本体２の長手方向の内底面３の背面側隅部に断面Ｌ字型に形成した固定フレーム１０を取付け、該固定フレームの中央に伸縮可能に形成した伸縮ロッド１１の下端を支持するロッド固定部１２を取付け、該伸縮ロッドの上端に旅行かばんを牽引するためのハンドル部１３を形成し、前記固定フレーム１０に取付けたロッド固定部１２の両側に、旅行かばんを引くための車輪６を収容した車輪ホルダ１４を取付け、前記かばん本体３に取付けた車輪６の反対側にかばん本体２を支持するための支持脚部７を設け、前記かばん本体２の内底面３に底面部２ａを折り曲げ可能にするための折畳機構２１を取付けてある。前記旅行かばん１は、図１０に示すごとく、かばん本体２の底面四隅に取付けたキャスターホルダ１７に牽引用のキャスター１６を取付けたかばんでもよいが、本考案は車輪６を取付けた旅行かばん１に基づいて説明する。
【００１２】
図３、４は、前記折畳機構の第１の実施形態を示す第１折畳機構２１で、かばん本体２の下部に位置する底面部２ａの内底面３に取付けた固定フレーム１０の水平部１０ａに固定底板２２を固着し、前記固定底板２２と並行で互いに一定の間隔（可動底板を折り曲げた際、固定底板の側面と当たらない幅）を設けて前記内底面３に可動底板２５を鋲などの固定具２６または固定具と接着剤とで固着してなり、前記固定底板２２の上面で左右対称位置に一端を支持軸２４で枢動可能に軸支した係止爪片２３を取付け、該係止爪片の先端方向を固定底板２２の長手方向と直角方向に位置させて可動底板２５の上面を押圧固定することにより、可動底板２５が上方に折れ曲がるのを防止すると共に、かばん本体２の底板Ｘを形成する。
【００１３】
前記固定底板２２に取付けた係止爪片２３を回動して可動底板２５の上面からが離脱させた後、かばん本体２の底面部分に位置した底面部２ａを上方に折り曲げると、内底面３に取付けた可動底板２５は、前記したごとく、固定底板２２と可動底板２５とが互いに当たらない一定の間隔を設けて取付けてあるため、底面部２ａをスムースに上方に折れ曲げることができる。したがって、旅行かばんを簡単に小さく折畳んで収納したり、旅行かばんをコンパクトに纏めて持ち運びを便利することができる。
【００１４】
不使用時の旅行かばん１を収納する場合、固定底板２２の係止爪片２３を可動底板２５の上面から回動させて離脱させる簡単な操作で可動底板２５を固定鉄板からフリーにすることができる。次いで、かばん本体２の底面部２ａの前側を上方に折り曲げることにより、旅行かばんの底面積を半分にして収納スペースをコンパクトにすることができる。さらに、図２に示すごとく、かばん本体２の底面部を上方に折り曲げた折り曲げ部分と、上方の任意箇所を締着ベルト８でそれぞれ締着することにより、折り畳んだ旅行かばんの広がりを防止することができる。
【００１５】
前記第１折畳機構２１は、かばん本体２の内底面３に収容した固定フレーム１０に取付けた固定底板２２と、該固定底板と並行で一定間隔を設けて固着した可動底板２５とからなり、全体の部品数が少ないことから組立作業が簡単でコストの軽減が図れて経済的であり、また、全体として旅行かばんの軽量化を図ることができる。
【００１６】
図５、６、７は、本考案の第２の実施形態を示す第２折畳機構３１で、図５は第２折畳機構の可動底板に巻着した補強布片の一端を固定フレームの下面に取付けて形成した状態を示す要部拡大斜視図、図６は固定底板の係止爪部を解除して可動底板を折り曲げた状態を示す要部拡大断面図、図７はかばん本体の底面部を折り曲げた状態を示す要部拡大断面図である。この第２折畳機構３１は、かばん本体２の下部に位置する底面部２ａの内底面３に収容した固定フレーム１０の水平部１０ａに、一対の係止爪片３３を支持軸３４で回動可能に軸支して取付けた固定底板３２を固着し、該固定底板と並行で一定間隔（可動底板を折り曲げた際、固定底板の側面と当たらない幅）を設けて可動底板３６をかばん本体２の内底面３の前側に取付けてある。この可動底板３６は、上面側と底面側を補強布片３５で覆ってからかばん本体２の内底面３に鋲などの固定具３７または固定具と接着剤とで固着し、該補強布片の他端を前記固定フレーム１０の底面と内底面３との間に接着または固着して形成してある。
【００１７】
前記固定底板３２の上面に取付けた係止爪片３３で、前記可動底板３６の上面を押圧固定して可動底板３６が上方に持ち上がるのを防止すると共に、かばん本体２の底板Ｘを形成し、前記可動底板３６の上面から係止爪片３３を離脱させた後、かばん本体２の底面部２ａと可動底板３６を上方に折り曲げると可動底板３６は、固定底板３２と当たらない間隔をもって取付けてあるため、底面部２ａをスムースに折れ曲げることができる。
【００１８】
第２折畳機構３１を取付けた旅行かばん１を折り畳んで収納する場合、図６に示すごとく、固定底板３２に取付けた係止爪片３３を、可動底板３６の上面から固定底板３２の方向に回動させて離脱するだけの簡単な操作で可動底板３６をフリーにすることができる。次いで、かばん本体２の底面部２ａの前側を上方に折り曲げると、内底面３に取付けた可動底板３６は、固定底板３２と互いに当たらない間隔を有して取付けてあるため、底面部２ａがスムースに折れ曲がって旅行かばんの底面積を約半分にすることができ、旅行かばんの収納スペースを少なくすることができる。さらに、かばん本体２の底面部を折り曲げ部分と、上方の任意箇所を図２に示すごとく締着ベルト８でそれぞれ締着することにより、折り畳んだ旅行かばんが広がるのを防止すると共に持ち運びを便利にすることができる。
【００１９】
前記第２折畳機構３１は、かばん本体２の底面部２ａに固定底板２２と可動底板２５とが互いに当たらない一定の間隔を設けて取付けたことにより、底面部２ａを折り曲げた際、可動底板２５をスムースに上方に折れ曲げることができる。また、可動底板２５の外面を補強布片３５で覆ってかばん本体２の内底面３に接着剤または鋲などの固定具で固着して形成することにより、可動底板３６の折れ曲がり部分が補強布片３５とかばん本体２の内底面３との二重に保護して折れ曲がり部分の強度を高めることができる。さらに、折畳み機構３１は部品数が少なく組立てが簡単で作業効率の向上と旅行かばんの軽量化が図れ、またコストも安価で経済的である。
【００２０】
図８、９は、本考案の第３の実施形態を示す第３折畳機構４１で、図８は第３折畳機構の固定底板と可動底板を連結片で連結した状態を示す要部拡大断面図、図９はかばん本体の底面部を折り曲げた状態を示す要部拡大断面図である。旅行かばん１の内底面３に取付けた第３折畳機構４１は、かばん本体２の下部に位置する底面部２ａの内底面３に収容した固定フレーム１０の水平部１０ａに、一対の係止爪片４３を支持軸４４で回動可能に軸支して取付けた固定底板４２を固着し、該固定底板と並行で、かばん本体２の内底面３に取付ける可動底板４６の上面側と底面側を補強布片４５で覆ってからかばん本体２の内底面３に鋲などの固定具４８または固定具と接着剤とで固着し、該補強布片の他端は、前記固定フレーム１０の底面と内底面３との間に接着または固着して形成し、さらに前記かばん本体２の内底面３に並行に取付けた固定底板４２と可動底板４６とを少なくとも１以上の連結片４７、例えば、蝶番で枢動可能に軸支して形成してある。
【００２１】
前記固定底板４２に軸支した一対の係止爪片４３で可動底板４６の上面を押圧固定することにより、可動底板４６が上方に持ち上がるのを防止すると共にかばん本体２の底板Ｘを形成している。次いで、前記可動底板４６の上面から係止爪片４３を離脱させて可動底板４６の上面から押圧力がなくなり、底面部２ａを上方に折り曲げると、該底面部と一体に取付けてある可動底板４６もスムースに折り曲げることができるため、旅行かばんを簡単に折り畳んでコンパクトにすることにより、旅行かばんの持ち運びが便利であると共に、狭いスペースで収納することができる。
【００２２】
柔軟素材により形成された旅行かばん１は、かばん本体２の底面に取付けた固定底板４２と、かばん本体２の内底面３に取付けた可動底板４６を、かばん本体２の内底面３だけで連結すると、可動底板４６が内底面と共に左右前後に振れてゆがみが生じやすく安定しない。そこで、固定底板４２と可動底板４６を複数の丁番からなる連結片４７で連結することにより、可動底板４６の揺れを防止することができるので、かばん本体２の下部に連続した底面部２ａの揺れやゆがみを防止して安定させることができる。さらには、かばん本体２の底面部を折り曲げる場合、かばん本体２の底面部を支点に折り曲げるのではなく、連結片４７を中心に折り曲げるので底面部の生地の摩耗が少なくすることができるので旅行かばんの傷みを軽減することができる。
【００２３】
旅行かばん１をコンパクトに折り畳む場合、固定底板４２に取付けた係止爪片４３を可動底板４６の上面から離脱させるだけの簡単な操作で可動底板４６を固定底板からフリーにでき、次いで、旅行かばん本体２の底面部を上方に折り曲げると可動底板４６も一体にスムースに連結片４７から折り曲がるため、旅行かばん１の折畳み作業を簡単に行うことができ、且つ、旅行かばん１の収納スペースを狭くすることができると共に持ち運びにも便利である。
【符号の説明】
【００２４】
１    旅行かばん
２    かばん本体
２ａ  底面部
３    内底面
４    蓋板
５    把手部
６    車輪
７    支持部
８    締着ベルト
１０  固定フレーム
１１  伸縮ロッド
１２  ロッド固定板
１３  ハンドル部
１４  車輪ホルダ
１６  キャスター
２１  第１折畳機構
２２  固定底板
２３  押圧爪片
２４  支持軸
２５  可動底板
３１  第２折畳機構
３２  固定底板
３３  押圧爪片
３４  支持軸
３５  補強布片
３６  可動底板
４１  第３折畳機構
４２  固定底板
４３  押圧爪片
４４  支持軸
４５  補強布片
４６  可動底板
４７  連結片
【図１】
0003169980.tif 000003
【図２】
0003169980.tif 000004
【図３】
0003169980.tif 000005
【図４】
0003169980.tif 000006
【図５】
0003169980.tif 000007
【図６】
0003169980.tif 000008
【図７】
0003169980.tif 000009
【図８】
0003169980.tif 000010
【図９】
0003169980.tif 000011
【図１０】
0003169980.tif 000012